(57)【要約】【課題】  洗濯物を干す際には、洗濯挟みを入れた箱等を足元に置き、１つの洗濯物を物干竿に掛けては、かがんでその箱から洗濯挟みを取り出していた。これでは何回も何回もかがまなければならず、腰に負担がかかり年寄りにとっては苦痛ともなっていた。そこで、腰に係止して携帯する携帯用洗濯挟み入れが考案されているが、それは板材や針金や布袋を組み合わせた構造複雑なものであり、製造コストが高かった。【解決手段】  携帯用洗濯挟み入れ１を、全体としては筒状を成し、内部が境界部４により第１，第２収容部５，６に区切られた容器部２と、その外壁に取り付けられた係止部３とから成る構造とした。そして、全体を合成樹脂（プラスチック）成形により一体に製造することとした。係止部３を腰のバンド等に差し込んで携帯し、第１収容部５等に洗濯挟みを入れる。【選択図】        図１
0003102845.tif 000002
【実用新案登録請求の範囲】
【請求項１】
全体としては筒状を成し、筒内部が境界部により２以上の収容部に区切られている容器部と、
逆Ｌ字状の形状をし、その上部水平方向の端部が前記容器部の外壁に取り付けられ、下端が自由端とされた係止部と
を具えた構造とされ、
全体が合成樹脂（プラスチック）成形により一体に製造されたものである
ことを特徴とする携帯用洗濯挟み入れ。
【請求項２】
容器部に、洗濯挟みがこぼれ出す恐れがない程度の大きさの穴を、複数個開けたことを特徴とする請求項１記載の携帯用洗濯挟み入れ。
【考案の詳細な説明】
【技術分野】
【０００１】
本考案は、洗濯物を干す際、洗濯挟みを携帯することが出来る携帯用洗濯挟み入れに関するものである。
【背景技術】
【０００２】
従来、各家庭では、洗濯挟みは小さな箱とか籠とかに入れられて保管されているのが通常である。そして、洗濯物を干す際、その箱等を足元に置き、１つの洗濯物を物干竿に掛けては、いちいちかがんでその箱から洗濯挟みを取り出し、洗濯物を挟んでいた。
しかし、それでは腰に負担がかかるということで、板材，針金および布袋等で構成され、係止具により腰のバンド等に係止するようにした携帯用洗濯挟み入れが考案されている。これによれば、洗濯挟みを取るのにいちいちかがむ必要がなくなり、腰の負担が軽減される。
【特許文献１】実用新案登録第３０９３１９３号公報
【考案の開示】
【考案が解決しようとする課題】
【０００３】
しかし、前記した携帯用洗濯挟み入れには、次のような問題点があった。
第１の問題点は、構造が複雑であり、組み立てるのが面倒であるという点である。例えば、袋の縁に針金を通すという作業が必要であるが、このような作業は人手に頼らざるを得ず、面倒なものであった。
第２の問題点は、コストが高くなるという点である。例えば、構造が複雑であるために部品点数が多く、自ずと部品代が高くなってしまっていた。また、製造工程において人手に頼る作業があり、そのために人件費が高くついていた。
本考案は、以上のような問題点を解決することを課題とするものである。
【課題を解決するための手段】
【０００４】
前記課題を解決するため、本考案の携帯用洗濯挟み入れでは、全体としては筒状を成し、筒内部が境界部により２以上の収容部に区切られている容器部と、逆Ｌ字状の形状をし、その上部水平方向の端部が前記容器部の外壁に取り付けられ、下端が自由端とされた係止部とを具えた構造のものとし、全体を合成樹脂（プラスチック）成形により一体に製造することとした。
また、前記の容器部に、洗濯挟みがこぼれ出す恐れがない程度の大きさの穴を、複数個開けたものとすることも出来る。
【考案の効果】
【０００５】
本考案の携帯用洗濯挟み入れは、容器部と係止部とから成るという単純な構造とすると共に、それらを合成樹脂（プラスチック）成形により一体となるよう製造したので、人手に頼る作業がなくなり、コストを安くすることが可能となった。
【考案を実施するための最良の形態】
【０００６】
以下、本考案の実施形態を図面に基づいて詳細に説明する。
（第１の実施形態）
図１は、本考案の第１の実施形態に係る携帯用洗濯挟み入れ１の斜視図である。図１において、１は携帯用洗濯挟み入れ、２は容器部、３は係止部、４は境界部、５は第１収容部、６は第２収容部である。これらは全て合成樹脂（プラスチック）で作るものとし、携帯用洗濯挟み入れ１の全体は、合成樹脂（プラスチック）成形により一体構造のものとして製造する。
【０００７】
本考案の携帯用洗濯挟み入れ１は、大きく分けて、容器部２と係止部３とから成っている。容器部２は筒状をしており、収容部は境界部４により第１収容部５と第２収容部６とに分けられている（図１では筒の断面が長方形のもの（角筒）を示しているが、他の形状のものでもよい。例えば楕円形のものでもよい。）。
そして、容器部２の外壁に係止部３が設けられる。係止部３は逆Ｌ字状をしており、水平方向部分の端部は容器部２の外壁に取り付けられ、下方先端は自由端とされている。この自由端を、腰のバンドやスカートの縁の内側に差し込むことにより、携帯用洗濯挟み入れ１を腰に携帯する。
なお図１では、係止部３を外壁の途中に設けているが、外壁の上端に設けるようにすることも出来る。
【０００８】
図２は、本考案の第１の実施形態に係る携帯用洗濯挟み入れ１の側面図であり、図３は平面図である。符号は図１のものに対応している。
このような形状の携帯用洗濯挟み入れ１を、合成樹脂（プラスチック）成形技術により一体に製造するようにすれば、全体を一瞬にして製造することが出来る。そのため、人手による作業がなく人件費が不用になる等して、製造コストを安くすることが可能となる。
なお、第１，第２収容部の使い方としては、それぞれ種類の違った洗濯挟みを分けて入れるというように使う。例えば、第１収容部５には小さな洗濯挟みを入れ、第２収容部６には大型の洗濯挟みを入れるというようにする。
【０００９】
（第２の実施形態）
図４は、本考案の第２の実施形態に係る携帯用洗濯挟み入れの斜視図であり、図５はその平面図である。符号は図１のものに対応し、７は第３収容部である。図１の第１の実施形態では、境界部４は収容部内を２つに分けるようなものとされているが、３以上に分けるものとすることも出来る。第２の実施形態は、３つに分けたものである。
【００１０】
（第３の実施形態）
図６は、本考案の第３の実施形態に係る携帯用洗濯挟み入れの斜視図である。符号は図１のものに対応し、８は穴である。第１，第２の実施形態では、容器部２や境界部４は、合成樹脂（プラスチック）が密に詰まった板状のものとされている。しかし、中に入れるものは細かなものではなく、或る程度以上の大きさをした洗濯挟みであるから、それがこぼれ出ない程度の穴（丸い穴とか四角な穴）が開けられていても何の支障もない。
そこで第３の実施形態では、図６に示すように、容器部２や境界部４に、洗濯挟みがこぼれ出る恐れのない大きさの穴８を開けたものである。このようにすれば、製造に使用する合成樹脂（プラスチック）の量を少なくすることが出来、コストを更に安くすることが出来る。
【図面の簡単な説明】
【００１１】
【図１】本考案の第１の実施形態の斜視図
【図２】本考案の第１の実施形態の側面図
【図３】本考案の第１の実施形態の平面図
【図４】本考案の第２の実施形態の斜視図
【図５】本考案の第２の実施形態の平面図
【図６】本考案の第３の実施形態の斜視図
【符号の説明】
【００１２】
１…携帯用洗濯挟み入れ、２…容器部、３…係止部、４…境界部、５…第１収容部、６…第２収容部、７…第３収容部、８…穴
【図１】
0003102845.tif 000003
【図２】
0003102845.tif 000004
【図３】
0003102845.tif 000005
【図４】
0003102845.tif 000006
【図５】
0003102845.tif 000007
【図６】
0003102845.tif 000008